(57)【要約】【課題】光ディスクの記録面を傷つけずに、光ディスクの下方の気流を安定させ、ディスクフラッタを低減させるための光ディスク装置を提供する。【解決手段】光ディスク４１を回転する回転駆動機構１９と、前記光ディスク４１から情報を再生及び／または前記光ディスクに情報を記録するために用いる光ピックアップ装置２３と、前記光ピックアップ装置２３を移動させる移動機構２７と、これらを固定するシャーシ２９と、を有するメカユニット３と、前記メカユニット３が固定されるコの字型の枠体１と、前記枠体１に配設され、前記光ディスク４１を載置して水平方向に移動可能なトレイ５と、を備える光ディスク装置１００であって、前記シャーシ２９には、気流の乱れを低減する凸部３３が形成され、前記トレイ５には、前記凸部３３の先端を回避する切欠き部３９が形成されることを特徴とする。【選択図】図２
2008010055.tif 000002
【特許請求の範囲】
【請求項１】
光ディスクを回転する回転駆動機構と、前記光ディスクから情報を再生及び／または前記光ディスクに情報を記録するために用いる光学装置と、前記光学装置を移動させる移動機構と、これらを固定するシャーシと、を有するメカユニットと、
前記メカユニットが固定されるコの字型の枠体と、
前記枠体に配設され、前記光ディスクを載置して水平方向に移動可能なトレイと、を備える光ディスク装置であって、
前記シャーシには、気流の乱れを低減する凸部が形成され、
前記トレイには、前記凸部の先端を回避する切欠き部が形成される
ことを特徴とする光ディスク装置。
【請求項２】
前記凸部は、前記光ディスクの半径方向に対応して配置されることを特徴とする、請求項１に記載の光ディスク装置。
【請求項３】
前記凸部は、前記シャーシに複数個配置され、それぞれの先端が前記切欠き部を回避することを特徴とする、請求項１または２に記載の光ディスク装置。
【請求項４】
前記凸部は、前記トレイの中心に対応して対称に前記シャーシに配置されることを特徴とする、請求項１から３のいずれか１項に記載の光ディスク装置。
【請求項５】
前記凸部は、前記トレイの中心に対応して非対称に前記シャーシに配置されることを特徴とする、請求項１から３のいずれか１項に記載の光ディスク装置。
【請求項６】
前記凸部の先端は、前記トレイが閉じられた状態で、前記回転駆動機構に搭載された前記光ディスクと非接触状態となることを特徴とする、請求項１から５のいずれか１項に記載の光ディスク装置。
【請求項７】
前記凸部は、弾性体であることを特徴とする、請求項１から６のいずれか１項に記載の光ディスク装置。
【請求項８】
前記凸部の先端は、前記トレイが閉じられた状態で、前記切欠き部との間に所定の隙間が形成されることを特徴とする、請求項１から７のいずれか１項に記載の光ディスク装置。
【請求項９】
前記メカユニットは、前記トレイが開かれた状態で、前記トレイに対し傾斜を有することを特徴とする、請求項１から８のいずれか１項に記載の光ディスク装置。
【発明の詳細な説明】
【技術分野】
【０００１】
本発明は、光ディスク装置に関し、特にディスクフラッタを低減する光ディスク装置に関する。
【背景技術】
【０００２】
ＣＤ（Compact Disc）やＤＶＤ（Digital Versatile Disc）などのディスク状記録媒体（以下、光ディスクという。）が光ディスク装置内で回転駆動する際、ディスクフラッタと称されるディスクのばたつき・振動が発生する。
【０００３】
このディスクフラッタは、光ディスクが回転駆動することで、光ディスク周辺の空気が乱れたり、空気流に渦が形成されたり、また、光ディスクの盤面上と盤面下の圧力差によって生じることが知られている。ディスクフラッタは騒音や光ディスクに記録されている情報を読取る際の不具合などの原因となっており、近年、ディスクフラッタを低減させる研究が数多くなされている。
【０００４】
例えば、特許文献１では、光ディスクを回転させる回転駆動手段と、光ディスクに対して情報を記録または記録情報を読取るピックアップと、光ディスクが載置される平面部及び光ディスクの記録面に沿ってピックアップが移動するために形成された開口部を有するトレイとを備えたディスク装置が開示されている。
【０００５】
このディスク装置では、上述した開口部が平面部の内側に位置する内部開口部と外側に位置する外部開口部とに区別されるとともに、光ディスクを収容する収容空間を上記平面部が覆われるように区画形成される覆い体（回転子支持部材）が配置される。そして、覆い体に内部開口部を覆う間隔よりも狭い間隔で外部開口部を覆う覆い部を備えることで、圧力差などにより発生するディスクフラッタを低減させている。
【特許文献１】特開２００５−１３５５４１号公報
【発明の開示】
【発明が解決しようとする課題】
【０００６】
このように、ディスクフラッタの低減では、光ディスクの上方に凹凸形状を設置することで気流を整えることが知られているが、ディスクフラッタを生じさせる空気の乱れ、空気流の渦等は、光ディスクの盤面の上方のみならず、光ディスクの盤面の下方にも発生する。すなわち、特許文献１であれば、光ディスクと覆い体との間にだけ発生するのではなく、光ディスクと平面部との間にも発生する。
【０００７】
しかしながら、特許文献１で開示される発明では、光ディスクの盤面の上方に発生する空気の乱れ等によるディスクフラッタは低減できるものの、光ディスクの盤面の下方に発生する空気の乱れ等は防止できない可能性がある。
【０００８】
このような光ディスクの盤面の下方に発生する空気の乱れ等から生じるディスクフラッタを低減するには、例えば、トレイ上に突起などを形成し、下方に発生する気流を整えることも考えられるが、当該突起が光ディスクの記録面と接触し、記録面を傷つける可能性もあり好ましくない。
【０００９】
本発明はこのような問題点に鑑みてなされたものであり、光ディスクの記録面を傷つけずに、光ディスクの下方の気流を安定させ、ディスクフラッタを低減させるための光ディスク装置を提供する。
【課題を解決するための手段】
【００１０】
上述した問題点を解決するために、本発明の光ディスク装置は、光ディスクを回転する回転駆動機構と、前記光ディスクから情報を再生及び／または前記光ディスクに情報を記録するために用いる光学装置と、前記光学装置を移動させる移動機構と、これらを固定するシャーシと、を有するメカユニットと、前記メカユニットが固定されるコの字型の枠体と、前記枠体に配設され、前記光ディスクを載置して水平方向に移動可能なトレイと、を備える光ディスク装置であって、前記シャーシには、気流の乱れを低減する凸部が形成され、前記トレイには、前記凸部の先端を回避する切欠き部が形成されることを特徴とする。このような構成により、切欠き部から出た凸部の先端が、光ディスクの回転駆動によって発生する渦状の気流等を抑制し、ディスクフラッタを防止することができる。
【００１１】
また、本発明は、前記凸部が、前記光ディスクの半径方向に対応して配置されることを特徴とする。このような構成により、上述した渦状の気流等を抑制する凸部の面積が十分に確保され、ディスクフラッタを一層低減させることができる。
【００１２】
また、本発明は、前記凸部が、前記シャーシに複数個配置され、それぞれの先端が前記切欠き部を回避することを特徴とする。このような構成により、複数の切欠き部からそれぞれ凸部が出て、光ディスクの回転駆動により発生する渦状の気流等を多くの凸部で抑制でき、ディスクフラッタを一層低減させることができる。
【００１３】
また、本発明は、前記凸部が、前記トレイの中心に対応して対称に前記シャーシに配置されることを特徴とする。凸部に応じてトレイに切欠き部が形成されるが、形成された切欠き部の配置次第ではトレイの重量バランスが崩れる可能性がある。このような構成により、トレイの重量バランスを対称に保つことができ、バランス良くディスクフラッタを低減させることができる。
【００１４】
また、本発明は、前記凸部が、前記トレイの中心に対応して非対称に前記シャーシに配置されることを特徴とする。２つの凸部を前記トレイの中心に対応してシャーシに対象配置するだけでなく、例えば、１つの凸部をシャーシに配置することで、前記トレイの中心に対応して非対称配置としても、対称に配置された場合と同様にディスクフラッタを低減させることができ、かつ、製造コストも低減させることもできる。
【００１５】
また、本発明は、前記凸部の先端が、前記トレイが閉じられた状態で、前記回転駆動機構に搭載された前記光ディスクと非接触状態となることを特徴とする。このような構成とすることで、凸部の先端が光ディスクと接触して光ディスクの回転駆動を妨げるという事象が回避され、凸部の先端と光ディスクとが接触することなく、光ディスクは安定して回転駆動することができる。
【００１６】
また、本発明は、前記凸部が、弾性体であることを特徴とする。このような構成により、万が一、光ディスクの記録面が凸部と接触しても、記録面を傷つける可能性を低減させることができる。
【００１７】
また、本発明は、前記凸部の先端が、前記トレイが閉じられた状態で、前記切欠き部との間に所定の隙間が形成されることを特徴とする。このような構成により、凸部が切欠き部に出入りする際に生じる可能性がある接触等を回避でき、凸部の切欠き部への円滑な出入りを確保することができる。
【００１８】
また、本発明は、前記メカユニットが、前記トレイが開かれた状態で、前記トレイに対し傾斜を有することを特徴とする。メカユニットがトレイに対し傾斜がない場合では、トレイが閉じようとする際に、凸部がトレイと接触してしまう可能性があるが、メカユニットに傾斜を設けることでそのような事象を回避でき、安定したトレイの開閉動作を確保することができる。
【発明の効果】
【００１９】
本発明に係る光ディスク装置によれば、光ディスクの下方から光ディスクの記録面を傷つけないで凸部を設けることができ、当該凸部によって光ディスクの下方向の気流を整え、ディスクフラッタを低減させることができる。
【発明を実施するための最良の形態】
【００２０】
以下、本発明の実施の形態について、図面を参照して具体的に説明する。
【００２１】
図１は、本発明の実施の形態にかかる光ディスク装置１００の分解斜視図である。図１において、光ディスク装置１００には、コの字型の枠体１に囲われたメカユニット３と、水平方向に進退可能に移動するトレイ５と、メカユニット３の動作を制御する制御回路を搭載した回路基板７とが内蔵される。そして、メカユニット３、トレイ５及び回路基板７は、下面及び前面を開口するトップケース９と、トップケース９の下面を閉塞するアンダーケース１１と、トップケース９の前面を閉塞するフロントパネル１３とからなるケース１５によって囲われる。
【００２２】
さらに、上述したメカユニット３及びトレイ５について図２及び図３を参照して詳細に説明する。図２はメカユニット３及びトレイ５の斜視図である。図３はメカユニット３及びトレイ５の開閉前後を示す縦断面図である。なお、図１に示される光ディスク装置の各部と同様の構成には同一符号を付し、その説明を省略する。また、後述する図面についても同様とする。
【００２３】
図２に示すように、メカユニット３は光ディスクを保持しながら所定方向に回転させるターンテーブル１７を含んだ回転駆動機構１９を備え、また、光ディスクから情報を再生し、あるいは、情報を記録するための光学装置として、レンズ２１を含んだ光ピックアップ装置２３を備えている。
【００２４】
この光ピックアップ装置２３はモータ２５を駆動源とする移動機構２７により光ディスクの所定位置に移動される。そして、上記の光ディスクを回転させる回転駆動機構１９、光ピックアップ装置２３及びこれを移動する移動機構２７は所定の剛性を備えたシャーシ２９により支持されている。このシャーシ２９は防振用のダンパ３１を介して枠体１に固定される。
【００２５】
また、シャーシ２９には、光ディスクが回転駆動する際に発生する空気の乱れを整える凸部３３が任意に配置される。図２において、凸部の形状は直方体であるが、その形状は直方体に限られず、立法体、円柱、三角柱等、適宜その形状を変更することができる。また、凸部３３の個数についても、図２においては２個であるが、その数は２個に限られるものではない。
【００２６】
さらに、凸部３３の材料は、弾性体であることが好ましく、例えば、ゴムやスポンジ、プラスチック等であることが望ましい。このような材料を使用することで、万が一光ディスクの記録面と接触することがあっても、その記録面を傷つける可能性を低減させることができる。
【００２７】
また、メカユニット３上には図１で示すような枠体１を介してトレイ５が載置される。このトレイ５は光ピックアップ装置２３が移動する領域３６を除いて、メカユニット３をカバーするように配置される。そして、トレイ５の平面部３７には、切欠き部３９が形成される。当該切欠き部３９の形状は、長方形、正方形、円形、三角形等、上記凸部３３の横断面の形状に合わせてその形状を適宜変更することができる。また、切欠き部３９の数についても、上記凸部３３の数に合わせて適宜変更することができる。
【００２８】
上述した凸部３３及び切欠き部３９は、トレイ５の重量バランスを考慮すると、トレイ５の中心に対し対称に配置されることが望ましい。ただし、必ずしも対称配置に限定されることはなく、対象配置とした場合と同様のディスクフラッタの低減ができれば、非対称配置であってもよい。このような配置によって製造コストの低減が図ることも可能となる。また、嵌合する凸部３３と切欠き部３９との間には、凸部３３の出入りを円滑に行うためにも、所定の隙間があることが望ましい。
【００２９】
また、図３（ａ）に示すように、光ディスク４１が載置されたトレイ５が開いた状態にあるときは、メカユニット３はトレイ５と平行に配置されていない。すなわち、メカユニット３はトレイ５の下面と凸部３３とが接触しない程度に傾いている。この傾きは回転駆動機構１９が形成された側が、そうでない側より下方になるように配置されていることになる。なお、回転駆動機構１９は、上述した領域３６に配置される。このように配置することで、トレイ５が閉じようとする際に生じる凸部３３の接触が防止できる。
【００３０】
このような状態において、トレイ５を閉じようとすると、トレイ５は図の矢印Ｔの方向に移動する。それに合わせて、メカユニット３はトレイ５と平行になるように図の矢印Ｍの方向に徐々に移動する。そして、図３（ｂ）に示すように、トレイ５が完全に閉じられた際に、回転駆動機構１９が光ディスク４１を搭載するとともに、メカユニット３の凸部３３がトレイ５の切欠き部３９に嵌合し、出ることで開閉動作を終了する。なお、メカユニット３は、トレイ５が完全に移動し終わってから、図の矢印Ｍの方向に一度に移動することも可能である。
【００３１】
また、凸部３３の先端部が切欠き部３９から出た際に、光ディスク４１が回転駆動するためにも、凸部３３の先端部が回転駆動機構１９に搭載された光ディスク４１と接触しない程度の距離を保つ必要がある。この距離は、発生する気流との関係からディスクフラッタがもっとも低減できる程度に決定すればよい。
【００３２】
次に、光ディスク装置１００の動作について、図４を参照しながら説明する。
【００３３】
図４は、光ディスク４１が回転駆動した際のトレイ５における気流を模式的に示す平面図である。図４に示すように、光ディスク４１が、例えば、図の点線矢印にように時計回りに回転駆動する際、光ディスク４１の下方には、図の実線矢印で示すように、中心部から外周方向に向けて渦を巻くように気流が発生する。
【００３４】
このように発生した気流に対し、トレイ５の平面部３７に形成された切欠き部３９から出た凸部３３の先端は、その出た先端部分が気流に対して防風壁の役割を果たし、気流を安定させる機能を有する。これによって、光ディスク４１のディスクフラッタは低減されることになる。なお、切欠き部３９及びそこから出る凸部３３は、発生する気流の乱れを最大限防止するためにも、半径方向に形成されることが望ましい。
【００３５】
さらに、本発明は、上述した実施形態に限定されるものではなく、その要旨を逸脱しない範囲内で種々変形して実施することが可能である。
【産業上の利用可能性】
【００３６】
以上、説明したように、本発明に係る光ディスク装置は、光ディスクの下方から光ディスクの記録面を傷つけない凸部を設けることができ、当該凸部によって光ディスクの下方向の気流を整え、ディスクフラッタを低減させることができ産業上の利用可能性が高い。
【図面の簡単な説明】
【００３７】
【図１】図１は、光ディスク装置の分解斜視図である。
【図２】図２は、メカユニット及びトレイの斜視図である。
【図３】図３は、メカユニット及びトレイの縦断面図である。
【図４】図４は、光ディスクが回転駆動した際のトレイにおける気流を模式的に示す平面図である。
【符号の説明】
【００３８】
１  枠体
３  メカユニット
５  トレイ
７  回路基板
９  トップケース
１１  アンダーケース
１３  フロントパネル
１５  ケース
１７  ターンテーブル
１９  回転駆動機構
２１  レンズ
２３  光ピックアップ装置
２５  モータ
２７  移動機構
２９  シャーシ
３１  ダンパ
３３  凸部
３６  領域
３７  平面部
３９  切欠き部
４１  光ディスク
１００  光ディスク装置
【図１】
2008010055.tif 000003
【図２】
2008010055.tif 000004
【図３】
2008010055.tif 000005
【図４】
2008010055.tif 000006